(57)【要約】      （修正有）【課題】上蓋片の係合を解除する簡単な操作により、十分な弾発力で確実に上蓋片をワンタッチで開けることができる簡易開封包装用箱を提供する。【解決手段】互いに連接された側面１４，１６，１８，２０と、側面１８に連接され箱体形成片により形成される一開口端部を閉鎖する上蓋片６６を有する。上蓋片６６が設けられた側面１８に交差する側面１６，２０の上端部と、上蓋片６６との間に連接して設けられ、上蓋片６６を開く方向に付勢する弾発片５６，７８を備える。上蓋片６６が設けられた側面１８に対向する側面１４に設けられ、上蓋片６６を弾発片５６，７８の付勢力に抗して閉じた状態に係止する係止用フラップ３６を備える。弾発片５６，７８は、上蓋片６６が設けられた側面１８に交差する側面の上端部と、上蓋片６６を閉じたときに隣接する上蓋片側縁部とに連続するＬ字形である。Ｌ字形の角部は略９０°であり、角部に略４５°の折罫線を有する。【選択図】図１
0003150970.tif 000002
【実用新案登録請求の範囲】
【請求項１】
一枚のブランクシートから一体的に打ち抜かれた箱体形成片からなり、互いに連接された側面と、前記側面の1つに連接され前記箱体形成片の組立状態で連接された側面で形成される一開口端部を閉鎖する上蓋片と、前記上蓋片が設けられた側面に交差する両側の側面の上端部と前記上蓋片との間に連接して設けられ前記上蓋片を開く方向に付勢する弾発片と、前記上蓋片が設けられた側面に対向する側面に設けられ前記上蓋片を前記弾発片の付勢力に抗して閉じた状態に係止する係止部が設けられ、前記弾発片は、前記上蓋片が設けられた側面に交差する側面の上端部から、前記上蓋片の互いに対向する側縁部に各々連続するＬ字形に設けられ、Ｌ字形の角部は９０°であり、前記角部には４５°の折罫線が設けられていることを特徴とする簡易開封包装用箱。
【請求項２】
前記弾発片は、前記上蓋片が設けられた側面に交差する側面の上端部と前記上蓋片の前記上蓋片を閉じたときに隣接する側縁部のほぼ全長にわたって設けられ、前記弾発片の端部は、前記弾発片が設けられた前記側面の上端部の端部と、前記上蓋片の前記上蓋片を閉じたときに隣接する側縁部の端部から僅かに隙間を有して位置していることを特徴とする請求項１記載の簡易開封包装用箱。
【請求項３】
前記上蓋片の先端には、差込片が折罫線を介して設けられ、前記折罫線のほぼ中心には係止用スリットが形成され、前記上蓋片が設けられた側面に対向する側面の上端部には前記係止用スリットに差し込まれる係止部である係止用フラップが設けられ、前記係止用フラップの先端側は前記側面の前記上端部から外側に突出して延出し、前記係止用フラップの基端側は、前記側面の一部を、前記上端部に対して交差する一対の切断線と、前記切断線の端部同士の間に設けられた折罫線で区切られ、前記係止用フラップの途中には上記側面の上端部に繋がる折罫線が設けられ、前記係止用フラップの途中の前記折罫線には、前記係止用フラップの先端側へ凸状の切断線が形成されていることを特徴とする請求項１記載の簡易開封包装用箱。
【請求項４】
前記上蓋片の先端には、差込片が折罫線を介して設けられ、前記差込片の中央には前記折罫線の方へ突出する係止片がコの字形の切断線で区切られて設けられ、前記上蓋片が設けられた側面に対向する側面の上端部には折返片が折罫線を介して設けられ、前記折返片には、前記差込片が前記側面の裏面に重ねられたとき前記係止片に対向する位置に前記係止片が差し込まれる係止用穴部が設けられ、前記折返片が折り重ねられている前記側面には前記折返片の前記係止用穴部に対向する位置に、一部が欠けた円形の開口用スリットが設けられていることを特徴とする請求項１記載の簡易開封包装用箱。
【考案の詳細な説明】
【技術分野】
【０００１】
この考案は、箱体形成片と一体に、上蓋片を開く方向に付勢する弾性片が設けられている簡易開封包装用箱に関する。
【背景技術】
【０００２】
従来、商品を収容して保管や輸送を行う包装用箱は、４つの側面と、底部と蓋部が一枚の箱体形成片に設けられ、このような箱体形成片を組み立てて作られたものがある。また、蓋に弾性片を一体に設け、弾性片の弾発力で蓋が自然と開くものがあった。
【０００３】
特許文献１に開示されている包装箱は、箱本体の後壁の上端に蓋体を開閉自在に連接し、箱本体の前壁の上端から延びるロック片を手前に折り返し、蓋体の前壁の裏面に係止片を貼り付け、蓋体を箱本体に被せるように閉じたとき、ロック片が反発力により係止片に係合し、蓋体が閉じ状態に保持されるものである。そして、箱本体の側壁と蓋体の天壁とを折込片を介して連結し、この折込片を後部の角から斜めに延びる谷折線沿いに折り込んで蓋体を閉じる。蓋体を閉じた状態で、蓋体の前壁から下方にロック片が露出する。開封するときは、ロック片の露出部分を押圧する。するとロック片と係止片の係合によるロックが解除され、折込片の復元力により蓋体が反発して跳ね上がるものである。
【０００４】
特許文献２に開示されている包装箱は、箱本体の後壁の上端に蓋体を開閉自在に連接し、箱本体の前壁の上端から延びるロック片を手前に折り返し、蓋体の前壁裏面に係止片を貼り付け、蓋体を箱本体に被せるように閉じたとき、ロック片が反発力により係止片に係合し、蓋体が閉じ状態に保持されるものである。そして、箱本体の側壁と後壁とは折込片を介して繋がり、折込片には底壁の角から斜めに延びる谷折線が入れられ、この折込片を谷折線沿いに折り込んで蓋体を閉じる。蓋体を閉じた状態で、蓋体の前壁からロック片の一部が露出する。開封するときは、ロック片の露出部分を押圧する。するとロック片と係止片の係合によるロックが解除され、折込片の復元力により蓋体が反発して跳ね上がるものである。
【０００５】
特許文献３に開示されているワンタッチ開封機能付き包装箱は、周壁前部を切り込んで形成した揺動片の差込片に２本の折目線を入れ、折目線を境界として、差込片の中間に指掛部、両側に側折部がそれぞれ設けられている。周壁後部の上端に蓋板が設けられ、蓋板の先端には折曲片が連接し、蓋板の裏側へ折り込まれている。蓋板と折曲片の間に差込穴が設けられ、差込穴に差込片を挿入し係止する。開封するときは、指掛部を押す。すると、側折部が折目線沿いに上方へ折れ曲がって、側折部と折曲片との係合が外れ、折曲片の反発で蓋板が自動的に開くものである。
【先行技術文献】
【特許文献】
【０００６】
【特許文献１】特開２００６−２３２３３２号公報
【特許文献２】特開２００７−８５６５号公報
【特許文献３】特開２００７−１６８８６８号公報
【考案の概要】
【考案が解決しようとする課題】
【０００７】
上記背景技術のいずれの場合も、折込片の弾発力が蓋部の重量に対して大きくなく、確実にワンタッチで開くものではなかった。従って、係止片や差込片等を側面に入れるだけで開口部が閉じてしまうものがあり、確実に開かせることができないものであった。そこで、商品の取り出しやすさや、その他使用者の便宜上、大きい弾発力で簡単に蓋部を確実に開くものが求められている。
【０００８】
この考案は、上記背景技術の問題点に鑑みてなされたものであり、上蓋片の係合を解除する簡単な操作により、十分な弾発力で確実に上蓋片をワンタッチで開けることができる簡易開封包装用箱を提供することを目的とする。
【課題を解決するための手段】
【０００９】
本考案は、一枚のブランクシートから一体的に打ち抜かれた箱体形成片からなり、互いに連接された側面と、前記側面の1つに連接され前記箱体形成片の組立状態で連接された側面で形成される一開口端部を閉鎖する上蓋片と、前記上蓋片が設けられた側面に交差する両側の側面の上端部と前記上蓋片との間に連接して設けられ前記上蓋片を開く方向に付勢する弾発片と、前記上蓋片が設けられた側面に対向する側面に設けられ前記上蓋片を前記弾発片の付勢力に抗して閉じた状態に係止する係止部が設けられている。前記弾発片は、前記上蓋片が設けられた側面に交差する側面から、前記上蓋片の互いに対向する側縁部に各々連続するＬ字形に設けられ、Ｌ字形の角部は略９０°であり、前記角部には略４５°の折罫線が設けられている。
【００１０】
また、前記弾発片は、前記上蓋片が設けられた側面に交差する側面の上端部と前記上蓋片の前記上蓋片を閉じたときに隣接する側縁部のほぼ全長にわたって設けられ、前記弾発片の端部は、前記弾発片が設けられた前記側面の上端部の端部と、前記上蓋片の前記上蓋片を閉じたときに隣接する側縁部の端部から僅かに隙間を有して位置している。そして前記Ｌ字形の内側の角部は面取りされて曲線に形成されている。
【００１１】
前記上蓋片の先端には、差込片が折罫線を介して設けられ、前記折罫線のほぼ中心には係止用スリットが形成され、前記上蓋片が設けられた側面に対向する側面の上端部には前記係止用スリットに差し込まれる係止部である係止用フラップが設けられている。前記係止用フラップの先端側は前記側面の前記上端部から外側に突出して延出し、前記係止用フラップの基端側は、前記側面の一部を、前記上端部に対して交差する一対の切断線と、前記切断線の端部同士の間に設けられた折罫線で区切られ、前記係止用フラップの途中には上記側面の上端部に繋がる折罫線が設けられている。前記係止用フラップの途中の前記折罫線には、前記係止用フラップの先端側へ湾曲等した凸状の半円状の切断線が形成されている。
【００１２】
前記上蓋片の先端には、差込片が折罫線を介して設けられ、前記差込片の中央には前記折罫線の方へ突出する係止片がコの字形の切断線で区切られて設けられている。前記上蓋片が設けられた側面に対向する側面の上端部には折返片が折罫線を介して設けられ、前記折返片には、前記差込片が前記側面の裏面に重ねられたとき前記係止片に対向する位置に前記係止片が差し込まれる係止部である係止用穴部が設けられている。前記折返片が折り重ねられている前記側面には、前記折返片の前記係止用穴部に対向する位置に、一部が欠けた円形などの開口用スリットが設けられている。
【考案の効果】
【００１３】
本考案の簡易開封包装用箱は、上蓋片の係合を解除する簡単な操作により、十分な弾発力で確実に上蓋片をワンタッチで開けることができ、開封操作が容易であり、収容物が取り出しやすく便利である。開封された上蓋片は、弾性片の強い弾発力により垂直方向に立てた状態に維持され、外観が良く、また簡単に収容物を確認したり、蓋片等に収容物が触れずに容易に取り出すことができる。
【図面の簡単な説明】
【００１４】
【図１】この考案の第一実施形態の簡易開封包装用箱の上蓋片が開いた状態を示す斜視図（ａ）と、閉じた状態を示す斜視図（ｂ）である。
【図２】この考案の第一実施形態の簡易開封包装用箱の展開図である。
【図３】この考案の第二実施形態の簡易開封包装用箱の展開図である。
【図４】この考案の第二実施形態の簡易開封包装用箱の上蓋片が閉じた状態を示す部分破断縦断面図（ａ）と、上蓋片を開封する際の状態を示す部分破断縦断面図（ｂ）である。
【考案を実施するための形態】
【００１５】
以下、この考案の実施形態について図面に基づいて説明する。図１、図２はこの考案の第一実施形態を示すもので、この実施形態の簡易開封包装用箱１０は、紙製等の一枚のブランクシートを打ち抜いて形成された箱体形成片１２を組み立てて設けられている。
【００１６】
図２は箱体形成片１２を表面から見た展開図であり、箱体形成片１２は、側面１４，１６，１８，２０が、互いに平行に連接して形成されている。側面１４，１６，１８，２０は、連接している幅方向は同じ長さであり連接方向の長さは側面１４，１８が長くて互いにほぼ等しく、側面１６，２０は短くて互いにほぼ等しい。さらに、側面１４の側縁部には、簡易開封包装用箱１０の組立状態で側面２０の裏面に糊付けされる糊付片２２が設けられている。そして、糊付片２２、側面１４，１６，１８，２０は、各々折罫線２４，２６，２８，３０で区切られている。
【００１７】
側面１４において、側面同士の連接方向に対して直角方向の一端部には、折返片３２が折罫線３４で区切られて設けられている。折返片３２は、側面１４よりも僅かに小さい長方形に形成されている。折罫線３４の中心には、後述する上蓋片６６を係止する係止部である係止用フラップ３６が設けられている。係止用フラップ３６は、折罫線３４にほぼ直交して側面１４と折返片３２にわたって設けられ、コ字状の切断線３８で囲まれて側面１４、係止用フラップ３６と区切られている。係止用フラップ３６は、側面１４に位置する部分は基端側であり折罫線３４に対して直角に延出する直線で形成され、折返片３２に位置する部分は先端側であり角部が面取りされている。側面１４側の端部には、切断線３８は設けられず、折罫線３４に対して平行な折罫線４０が設けられて側面１４と区切られている。係止用フラップ３６には、折罫線３４に連通する折罫線４２が設けられている。折罫線４２の中心には、係止用フラップ３６の先端側へ湾曲する半円状の切断線４４が形成されている。
【００１８】
側面１４の、折罫線３４と反対側の端部には、底部を形成する第一底蓋片４６が折罫線４８で区切られて設けられている。第一底蓋片４６は、折罫線４８を下底とする台形状に形成され、折罫線４８から折罫線４８に対して平行な上底である端部４６ａまでの長さは、簡易開封包装用箱１０の組立状態で底部の中心線付近に達する長さ、つまり側面１６，２０の約半分の幅に設けられている。第一底蓋片４６の、側面１６に隣接する傾斜した側縁部には、略三角形の底部糊付片５０が折罫線５２で区切られて設けられている。第一底蓋片４６の端部４６ａには、底部糊付片５０の反対側に差込片５４が形成され、端部４６ａよりも外側に所定幅突出して設けられている。
【００１９】
側面１６の、側面１４の折罫線３４に隣接する端部には、後述する弾性片５６が折罫線５８で区切られて設けられている。側面１６の、折罫線５８と反対側の端部には、底部を形成する台形状の底フラップ６２が折罫線６４で区切られ設けられている。
【００２０】
側面１８の、側面１６の折罫線５８に隣接する端部には、簡易開封包装用箱１０の組立状態で開口端部を閉鎖する上蓋片６６が折罫線６８で区切られて設けられている。上蓋片６６の、折罫線６８と反対側の端部には、さらに差込片７０が折罫線７２で区切られて設けられている。折罫線７２の中心には、係止用スリット７４が設けられている。係止用スリット７４は、折罫線７２よりも僅かに差込片７０の方へ移動している。
【００２１】
上蓋片６６の、折罫線２８の延長上に位置する側縁部には、弾性片５６が折罫線７６で区切られて設けられている。弾性片５６は、側面１６とは折罫線５８で区切られ、折罫線５８と折罫線７６のほぼ全長にわたって連続するＬ字形に設けられている。弾性片５６は、折罫線５８と折罫線７６からそれぞれほぼ一定幅に設けられ、弾性片５６のＬ字形の角度はほぼ９０°となっている。折罫線５８と折罫線７６で囲まれて形成される角部から、折罫線５８に対して４５°の折罫線６０が設けられている。折罫線６０の、折罫線５８と折罫線７６で囲まれて形成される角部に近い部分は、折り曲げ易いように切断線が設けられている。弾性片５６の、折罫線５８と折罫線７６から離れた側縁部の角部は、面取りされて曲線に形成されている。弾発片５６の両方の端部５６a，５６ｂは、折罫線５８の折罫線２６に隣接する部分と、折罫線７６の折罫線７２に隣接する部分から僅かに隙間を有して位置している。上蓋片６６の、折罫線３０の延長線上に位置する側縁部には、後述する弾性片７８が、折罫線８０で区切られて連続されている。
【００２２】
側面１８の、折罫線６８と反対側の端部には、底部を形成する第二底蓋片８２が折罫線８４で区切られて設けられている。第二底蓋片８２は、折罫線８４を下底とする台形状に形成され、折罫線８４から折罫線８４に対して平行な上底である端部８２ａまでの長さは、簡易開封包装用箱１０の組立状態で底部の中心線付近に達する長さ、つまり側面１６，２０の約半分の幅に設けられている。第二底蓋片８２の、側面２０に隣接する傾斜した側縁部には、略三角形の底部糊付片８６が折罫線８８で区切られて設けられている。第二底蓋片８２の端部８２ａには、底部糊付片８６の反対側に差込片９０が形成され、端部８２ａよりも外側に所定幅突出して設けられている。
【００２３】
側面２０の、側面１８の折罫線６８に隣接する端部には、弾性片７８が折罫線９２で区切られて連接されている。弾性片７８は、弾性片５６と、上蓋片６６を挟んで対称形であり、上蓋片６６とは折罫線８０で区切られ、折罫線８０と折罫線９２のほぼ全長にわたって連続するＬ字形に設けられている。弾性片７８のＬ字形の角度はほぼ９０°となっている。折罫線８０と折罫線９２が交差して形成される角部から、折罫線９２に対して４５°の折罫線９４が設けられている。折罫線９４の、折罫線８０と折罫線９２で囲まれて形成される角部に近い部分は、折り曲げ易いように切断線が設けられている。弾性片７８の、折罫線８０と折罫線９２から離れた側縁部の角部は、面取りされて曲線に形成されている。弾発片７８の両方の端部７８a，７８ｂは、折罫線９２の折罫線３０と反対の部分と、折罫線８０の折罫線７２に隣接する部分から僅かに隙間を有して位置している。側面２０の、折罫線９２と反対側の端部には、底部を形成する台形状の底フラップ９６が折罫線９８で区切られ設けられている。
【００２４】
次に、この実施形態の簡易開封包装用箱１０の組立方法の一例について説明する。なお、ここでは図２が簡易開封包装用箱１０の箱体形成片１２の表面を見たものであり、箱体形成片１２の表面が凸になる折り方を正折り、そして裏面が凸になる折り方を逆折りと称する。
【００２５】
まず、折返片３２の裏面に係止用フラップ３６を避けて糊９９を塗布し、折罫線３４を正折りし、折返片３２を側面１４の裏面に糊付けされる。このとき、係止用フラップ３６は、切断線３８で区切られて折返片３２から分離し、側面１４の上端部である折罫線３４から外側へ突出する。折罫線４８，６４，８４，９８を正折りし、折罫線５２，８８を逆折りし、底部糊付片５０，８６の裏面に糊１００，１０２を塗布する。そして、糊付片２２の表面に糊１０４を塗布し、次に折罫線２６を正折りし、折罫線３０を正折りし、側面２０の裏面が糊付片２２の表面に糊付けされる。このとき底部糊付片５０は、糊１００により、底フラップ６２の表面に糊付けされる。底部糊付片８６は糊１０２により、底フラップ９６の表面に糊付けされる。これにより箱体形成片１２は折り畳み状態となり、この状態で出荷される。
【００２６】
次に商品を収容し包装する工場等において、折罫線２４，２６，２８，３０を各々９０°に正折りして四角形の箱体にする。このとき、第一底蓋片４６の底部糊付片５０は底フラップ６２に、第二底蓋片８２の底部糊付片８６は底フラップ９６に糊付けされているため、二つ折りされていた折罫線４８，６４，８４，９８は自動的に引き起こされてほぼ９０°に倒れ、底部が形成される。そして、第一底蓋片４６の差込片５４が第二底蓋片８２の端部８２ａに差し込まれ、第二底蓋片８２の差込片９０が第一底蓋片４６の端部４６ａに差し込まれ、差込片５４，９０の端部４６ａ，８２ａとの境界の段部が互いにロックされ、箱体の底部の形状を保ち、図１（ａ）に示す状態となる。
【００２７】
組み立てた箱体の中に、収容物を入れた後、折罫線６８で上蓋片６６を９０°に正折りし、差込片７０を折罫線７２で９０°に正折りし、差込片７０を側面１４の裏面側に差し込む。このとき、弾性片５６，７８を箱体の内側に倒し、側面１６，２０に隣接する折罫線５８，９２を９０°に正折りし、上蓋片６６に隣接する折罫線７６，８０は二つ折りに正折りし、角部に位置する折罫線６０，９４は二つ折りに逆折りし、弾性片５６，７８を上蓋片６６の裏面に沿うように折り畳む。折り畳まれた弾性片５６，７８は、復元する方向に力が働き、上蓋片６６を開く方向に付勢する。そして係止用フラップ３６の折罫線４２を９０°に正折りし、上蓋片６６の係止用スリット７４に差し込み、弾性片５６，７８の付勢力に抗して上蓋片６６を閉じ、図１（ｂ）に示す状態となる。このとき、係止用スリット７４は折罫線７２よりも僅かに差込片７０へ移動しているため、係止用スリット７４の部分だけ上蓋片６６が折罫線７２よりも外側に張り出し、係止用フラップ３６を係止用スリット７４に差し込み易くなる。係止用フラップ３６は、切断線４４で区切られた部分が折罫線４２から僅かに上方へ湾曲して突出する。
【００２８】
次に、この実施形態の簡易開封包装用箱１０の開封方法について説明する。まず係止用フラップ３６の上方に突出する切断線４４で区切られた部分に指をかけて外側に開く。すると係止用フラップ３６は折罫線４０で逆折りされて側面１４からはなれ、上蓋片６６の係止用スリット７４から引き抜かれて係合が解除される。係合が解除されると上蓋片６６は、弾性片７８，５６の付勢力で確実に開く。上蓋片６６は、Ｌ字形の弾性片７８，５６で側面２０，１６に連結されているため、正確に垂直方向にまで開き、それより後には倒れることが無い。
【００２９】
この実施形態の簡易開封包装用箱１０によれば、十分な弾発力で確実に上蓋片６６がワンタッチで開くことができ、内容物の取出しが容易で便利である。弾性片７８，５６は、側面２０，１６の端部と上蓋片６６の側縁部のほぼ全長にわたる長さのＬ字形に設けられているため、強い弾発力を得ることができる。係止用フラップ３６を引き抜く操作だけで、上蓋片６６がほぼ垂直に開き、後ろに倒れることを防ぎ、開いたときの外観が良好である。上蓋片６６がほぼ垂直に開くため、収容物を片手でも容易に取り出すことができる。弾発片７８の端部７８a,７８ｂは、折罫線９２の折罫線３０と反対の部分と、折罫線８０の折罫線７２に隣接する部分から僅かに隙間を有して位置し、弾発片５６の両方の端部５６a，５６ｂは、折罫線５８の折罫線２６に隣接する部分と、折罫線７６の折罫線７２に隣接する部分から僅かに隙間を有して位置しているため、上蓋片６６を閉じた状態で隣接する部材と接触することがなく、開封するときに抵抗がなく、円滑にワンタッチで開封される。
【００３０】
次にこの考案の第二実施形態について図３、図４に基づいて説明する。なお、ここで、上記実施形態と同様の部材は同様の符号を付して説明を省略する。この実施形態の簡易開封包装用箱１０６は、紙製等の一枚のブランクシートを打ち抜いて形成された箱体形成片１０８を組み立てて設けられている。図３は箱体形成片１０８を表面から見た展開図である。
【００３１】
側面１４に折罫線３４で区切られて連接する折返片３２には、折返片３２の中心よりもやや折罫線３４に近い位置に、係止用穴部１１０が設けられている。係止用穴部１１０は、折罫線３４に平行な上底１１０ａを有する台形に形成されている。側面１４には、折返片３２を折罫線３４で正折りして裏面に重ねたとき係止用穴部１１０に対向する位置に、開口用スリット１１２が設けられている。開口用スリット１１２は、一部が欠けた円形に形成され、欠けた部分は折罫線３４から離れたところに位置し、折罫線３４に向かって湾曲して突出した形状となる。
【００３２】
側面１８に折罫線６８で区切られて連接する上蓋片６６には、先端に折罫線７２で区切られて連接する差込片７０が設けられ、差込片７０の折罫線７２よりも先端に近い位置に、係止片１１４がコの字形の切断線１１６で区切られて設けられている。切断線１１６は、折罫線７２に平行な中心部１１６ａと、中心部１１６ａの両端部から差込片７０の先端に向かって延出する側方部１１６ｂが設けられ、側方部１１６ｂの端部は外側に湾曲されている。
【００３３】
この実施形態の簡易開封包装用箱１０６は、上記実施形態の簡易開封包装用箱１０と同じ組立方法で組み立てられる。そして組み立てた箱体の中に、収容物を入れた後、折罫線６８で上蓋片６６を９０°に正折りし、差込片７０を折罫線７２で９０°に正折りし、差込片７０を側面１４の裏面側に差し込む。このとき、図４（ａ）に示すように差込片７０の係止片１１４は、ブランクシートの弾性力で折返片３２側へ突出し、折返片３２の係止用穴部１１０に差し込まれ、弾性片５６，７８の付勢力に抗して上蓋片６６が閉じ状態で係止される。
【００３４】
次に、この実施形態の簡易開封包装用箱１０６の開封方法について説明する。まず側面１４の開口用スリット１１２で囲まれた部分の中央付近を簡易開封包装用箱１０の内側へ押し込む。すると、開口用スリット１１２の内側部分は折り曲げられて折返片３２の係止用穴部１１０に差し込まれ、係止用穴部１１０に位置していた差込片７０の係止片１１４に当接し、折返片３２から押し出し、図４（ｂ）に示すように上蓋片６６の係止が解除される。係合が解除されると上蓋片６６は、弾性片７８，５６の付勢力で勢いよく開く。上蓋片６６は、Ｌ字形の弾性片７８，５６で側面２０，１６に連結されているため、正確に垂直方向にまで開き、それより後には倒れることが無い。
【００３５】
この実施形態の簡易開封包装用箱１０６によれば、上記実施形態と同様の効果を有するものである。また、上蓋片６６を閉じ状態とする手段は、側面１４の内側に折り返された折返片３２の係止用穴部１１０に、差込片７０の係止片１１４が差し込まれるものであり、側面１４の外側から見えず、側面１４には開口用スリット１１２が設けられているだけでありすっきりとした外観となる。開封方法は、開口用スリット１１２の内側を押すだけであり、簡単に開封することができる。
【００３６】
なお、この考案の簡易開封包装用箱は、上記各実施形態に限定されるものではなく、上蓋片を閉じた状態で係止する係止部の形状は、確実に係止され簡単に解除されるものであれば自由に変更可能である。箱体の大きさや形状も、内容物に合わせて適宜変更可能である。底部の形状も上記各実施形態のようにワンタッチで組み立てられるものでなくても良い。
【符号の説明】
【００３７】
１０  簡易開封包装用箱
１２  箱体形成片
１４，１６，１８，２０  側面
２２  糊付片
３２  折返片
３６  係止用フラップ
３８，４４  切断線
４０，４２，６０，９４折罫線
５６，７８  弾性片
５６a，５６ｂ，７８a,７８ｂ  端部
６６  上蓋片
７０  差込片
７４  係止用スリット
【図１】
0003150970.tif 000003
【図２】
0003150970.tif 000004
【図３】
0003150970.tif 000005
【図４】
0003150970.tif 000006